(57)【要約】【課題】  プレストーク通話中に強制送話側に強制受話側の送話要求を報知できるインターホン機能付きリモコン装置を提供する。【解決手段】  通話スイッチ２３をＯＮし続けている側を強制送話側に設定すると共に、他方を強制受話側に設定して通話を行うプレストーク通話中に、強制受話側が通話スイッチ２３をＯＮすることで、強制受話側が送話したい旨の送話要求表示を強制送話側に表示して報知するので、送話要求表示が表示されることで、強制送話側が通話スイッチ２３をＯＦＦし、それにより強制受話側が送話でき、強制受話側が送話したくとも強制送話側が通話スイッチ２３をＯＦＦするまで送話できないという不具合を解消できるものである。【選択図】  図４
2014230233.tif 000002
【特許請求の範囲】
【請求項１】
第１のインターホン機能付きリモコンと第２のインターホン機能付きリモコンとの間で音声信号の送受信を行い、第１又は第２のインターホン機能付きリモコンの通話スイッチをＯＮして手を放すとハンズフリー通話を設定し、通話スイッチをＯＮしたままにするとその通話スイッチをＯＮしたままのインターホン機能付きリモコンを強制的に送話側に設定し、他方のインターホン機能付きリモコンを強制的に受話側に設定するプレストーク通話を設定する制御回路を備えたインターホン機能付きリモコン装置に於いて、前記制御回路は、プレストーク通話中に、強制的に受話側に設定されたインターホン機能付きリモコンの通話スイッチがＯＮされると、強制的に送話側に設定したインターホン機能付きリモコンが受話側の送話要求を報知することを特徴とするインターホン機能付きリモコン装置。
【請求項２】
前記制御回路は、プレストーク通話中に、強制的に受話側に設定されたインターホン機能付きリモコンの通話スイッチをＯＮして手を放すと、強制的に送話側に設定したインターホン機能付きリモコンの通話スイッチが手を放してＯＦＦになった時、ハンズフリー通話を行い、プレストーク通話中に、強制的に受話側に設定されたインターホン機能付きリモコンの通話スイッチをＯＮしたままで強制的に送話側に設定したインターホン機能付きリモコンの通話スイッチが手を放してＯＦＦになった時、送話側と受話側を強制的に切り換えてプレストーク通話を行うことを特徴とする請求項１記載のインターホン機能付きリモコン装置。
【発明の詳細な説明】
【技術分野】
【０００１】
この発明は、親機と子機の間の通話方式をハンズフリー通話方式とプレストーク通話方式に切換可能なインターホン機能付きリモコン装置に関するものである。
【背景技術】
【０００２】
従来、この種のものにおいては、通信回線を介して受信した音声信号とマイクにより集音された音声信号のレベルの大小に応じて通話方向を切替える通話スイッチを有することによって、スイッチ操作による通話方向の切替えを行うことなく、いわゆるハンズフリーによる通話を実現したハンズフリー通話方式のインターホン端末機が知られている。（例えば特許文献１参照）
【０００３】
また、周囲騒音などが大きい子機の周囲状況に応じて、親機との通話が切り換えにくい場合には、親機に設けられた通話スイッチにより通話方式を自動交互切換方式からプレストーク通話方式に変更して、親機から子機への送話を可能としたハンズフリーインターホン装置も提案されている。（例えば特許文献２参照）
【先行技術文献】
【特許文献】
【０００４】
【特許文献１】特開２００２−３５４１３８号公報
【特許文献２】特開２００３−１８９００１号公報
【発明の概要】
【発明が解決しようとする課題】
【０００５】
しかし、親機と子機の両方に通話スイッチを設け、この通話スイッチを押し続けることによりプレストーク通話方式に変更して強制的に通話方向を「送話方向」に切替えるものに於いて、一方が通話スイッチを押し続けて強制的に通話方向を「送話方向」にしている時、強制的に通話方向が「受話方向」になっている他方が相手に送話したくても送話できないという欠点があった。
【課題を解決するための手段】
【０００６】
上記課題を解決するために、本発明の請求項１では、第１のインターホン機能付きリモコンと第２のインターホン機能付きリモコンとの間で音声信号の送受信を行い、第１又は第２のインターホン機能付きリモコンの通話スイッチをＯＮして手を放すとハンズフリー通話を設定し、通話スイッチをＯＮしたままにするとその通話スイッチをＯＮしたままのインターホン機能付きリモコンを強制的に送話側に設定し、他方のインターホン機能付きリモコンを強制的に受話側に設定するプレストーク通話を設定する制御回路を備えたインターホン機能付きリモコン装置に於いて、前記制御回路は、プレストーク通話中に、強制的に受話側に設定されたインターホン機能付きリモコンの通話スイッチがＯＮされると、強制的に送話側に設定したインターホン機能付きリモコンが受話側の送話要求を報知するものである。
【０００７】
また、請求項２では、前記制御回路は、プレストーク通話中に、強制的に受話側に設定されたインターホン機能付きリモコンの通話スイッチをＯＮして手を放すと、強制的に送話側に設定したインターホン機能付きリモコンの通話スイッチが手を放してＯＦＦになった時、ハンズフリー通話を行い、プレストーク通話中に、強制的に受話側に設定されたインターホン機能付きリモコンの通話スイッチをＯＮしたままで強制的に送話側に設定したインターホン機能付きリモコンの通話スイッチが手を放してＯＦＦになった時、送話側と受話側を強制的に切り換えてプレストーク通話を行うものである。
【発明の効果】
【０００８】
この発明の請求項１によれば、プレストーク通話中に、強制的に受話側に設定されたインターホン機能付きリモコンの通話スイッチがＯＮされると、強制的に送話側に設定したインターホン機能付きリモコンが受話側の送話要求を報知するので、送話要求表示が表示されることで、強制送話側が通話スイッチをＯＦＦし、それにより強制受話側が送話でき、強制受話側が送話したくとも強制送話側が通話スイッチをＯＦＦするまで送話できないという不具合を解消できるものである。
【０００９】
また、請求項２によれば、プレストーク通話中に、強制的に受話側に設定されたインターホン機能付きリモコンの通話スイッチをＯＮして手を放すと、強制的に送話側に設定したインターホン機能付きリモコンの通話スイッチが手を放してＯＦＦになった時、ハンズフリー通話を行い、プレストーク通話中に、強制的に受話側に設定されたインターホン機能付きリモコンの通話スイッチをＯＮしたままで強制的に送話側に設定したインターホン機能付きリモコンの通話スイッチが手を放してＯＦＦになった時、送話側と受話側を強制的に切り換えてプレストーク通話を行うので、どうしても送話したい時は通話スイッチをＯＮし続ければ、強制送話側が通話スイッチをＯＦＦした時点で確実に送話することができ、プレストーク通話をハンズフリー通話に切り替えてほしい時は、通話スイッチをＯＮした後ＯＦＦし、強制送話側が通話スイッチをＯＦＦした時点でハンズフリー通話に切り替わるので、スムーズに通話ができて使い勝手がよくなるものである。
【図面の簡単な説明】
【００１０】
【図１】この発明の一実施形態の概略構成図。
【図２】同インターホン機能付きリモコンの正面図。
【図３】同制概略ブロック図。
【図４】同動作フローチャート図。
【発明を実施するための形態】
【００１１】
次に、この発明の一実施形態におけるインターホン機能付きリモコン装置を図に基づいて説明する。
本発明の一実施の形態に係るインターホン機能付きリモコン装置１は、通常屋外に配置される給湯器２を遠隔操作する第１、第２のリモコン３、４に内蔵される装置である。
【００１２】
第１のリモコン３（図中には「リモコン１」と表示する）は台所に、第２のリモコン４（図中には「リモコン２」と表示する）は浴室に配置され、通常、第１のリモコン３及び第２のリモコン４は、図２に示すように、「ふろ自動」のスイッチ５及びこれを表示するランプ６、給湯温度の調節スイッチ７、８、運転スイッチ９が設けられていると共に、液晶、蛍光表示管、発光ダイオード等を用いて給湯温度、風呂の温度、運転状況等を表示する表示部１０を備えている。
浴室側の第２のリモコン４には更に、浴槽内のお湯のレベルを制御するお湯レベル設定のスイッチが設けられている。
【００１３】
前記第１、第２のリモコン３、４には、それぞれ図３に示すようなインターホン装置１１が設けられ、それぞれにＣＰＵ、ＲＡＭ、ＲＯＭ及びＩ／Ｏを備えた制御回路１２、１２ａを有している。
第１のリモコン３の制御回路１２及び第２のリモコン４の制御回路１２ａは、給湯器系の制御回線１３を伝搬する搬送波によって相互連携されている。
即ち、第１のリモコン３の制御回路１２から第２のリモコン４の制御回路１２ａへの制御信号の伝搬は、制御回路１２からの制御信号を変調回路１４によって高周波信号に変調して制御回線１３に送り、制御回路１２ａから制御回路１２への信号の受信は、送られる高周波信号を検波回路１５によって復調し、制御回路１２に入力している。
これによって、制御回路１２、１２ａ内のＣＰＵには同一の情報が入力され、両者が一体となって一つの動作をするようになっている。
【００１４】
次にこのインターホン機能付きリモコン装置の動作について説明する。
第１、第２のリモコン１２、１３にそれぞれ設けられているインターホン装置１１は、音声の入力を行うマイクロホン１６、音声を出すスピーカ１７が設けられている。
マイクロホン１６の信号はアンプ１８によって増幅され、変調回路１９によって所定の周波数に変調されて制御回線１３に送られている。
【００１５】
一方、制御回線１３からの信号は、検波回路２０を通じて復調されてその信号をアンプ２１によって増幅されてスピーカ１７によって音に変換される。
制御回路１２（１２ａ）には、変調回路１９と検波回路２０とが同時に作動しないように切換え回路が設けられ、第１のリモコン３から第２のリモコン４に音声を送る場合には、第１のリモコン３の変調回路１９及びアンプ１８が作動状態となっていると共に、第２のリモコン４の検波回路２０及びアンプ２１が作動状態となってなり、第２のリモコン４から第１のリモコン３に音声を送る場合には、第２のリモコン４の変調回路１９及びアンプ１８が作動状態となっていると共に、第１のリモコン３の検波回路２０及びアンプ２１が作動状態となるように制御している。
【００１６】
これにより、通信回線によって共同して作動する制御回路１２、１２ａによって、リモコン３、４間の通話状態を切り換えている。
なお、制御回路１２、１２ａの搬送波と音声の搬送波とはその周波数を変えている。
各インターホン装置１１には、アンプ１８によって増幅されたマイクロホン１６の信号を入力とするマイクレベル検知回路２２が設けられ、マイクロホン１６から所定の音圧以上の信号があったか否かを検知し、制御回路１２（１２ａ）に送っている。
【００１７】
また、インターホン装置１１にはインターホン機能を起動する通話スイッチ２３を有し、この通話スイッチ２３を押してオンにした信号が制御回路１２（１２ａ）に入力され、又、通話スイッチ２３を押してオンにした後に通話スイッチ２３から指を放すとオフにした信号が制御回路１２（１２ａ）に入力される。
【００１８】
そして、インターホン装置１１は、通話状態を示す通話ランプ２４を備え、制御回路１２（１２ａ）からの所定の信号によって、連続点灯又は断続点灯（点滅点灯）を行うようになっている。
そして、１又は２以上の特定の音声メッセージを記録した音声ガイダンス部２５が設けられ、給湯器２側の制御回路からの所定の信号による音声信号がアンプ２１に入力されている。
【００１９】
このアンプ２１には前述のように、検波回路２０によって復調された音声信号も入力されるが、音声ガイダンス部２５からの信号がある場合、検波回路２０からの音声信号はその入力信号レベルが下がる。
その結果として、音声ガイダンス部２５からの音声はスピーカ１７から通常の音声レベルで発声されるが、検波回路２０を通過する音声信号は少し小さいレベルでスピーカ１７から発声されるようになっている。
即ち、通話音と音声ガイダンス部２５からの音声をミキシングして発声することになる。
【００２０】
このインターホン装置１１を使用する場合に、第１、第２のリモコン３、４のいずれか一方の運転スイッチ９を押してオンにする。
これによって、インターホン装置１１が起動し、インターホン装置１１は運転スイッチ９のオンオフにかかわらず前記操作により使用可能となる。
【００２１】
続いて、図４を参照しながら、インターホン装置１１の動作について説明する。
まず制御回路１２（１２ａ）は、通話スイッチ２３がＯＮされたかを検知し（Ｓ１）、通話スイッチ２３がＯＮされたのを検知すると、通話スイッチ２３がＯＦＦされたかを検知する。（Ｓ２）
【００２２】
そして（Ｓ２）で通話スイッチ２３がＯＦＦされたのを検知すると、制御回路１２（１２ａ）は、ハンズフリー通話を行う。（Ｓ３）
又、（Ｓ２）で通話スイッチ２３がＯＦＦされたのを検知できない時は、通話スイッチ２３がＯＮされ続けていると判断して、制御回路１２（１２ａ）は、プレストーク通話を行うものである。（Ｓ４）
【００２３】
そして（Ｓ３）のハンズフリー通話となった場合、制御回路１２（１２ａ）は、第１のリモコン３のマイクロホン２５からの音圧レベルと、第２のリモコン４のマイクロホン２５からの音圧レベルとを比較し、音圧レベルが高い方を送話にし、音圧レベルが低い方を受話にして通話を行い、音圧レベルの高低が逆になったら送話と受話を切換えるものである。
又、この時、送話側の通話ランプ２４は点灯し、受話側の通話ランプ２４は消灯しているものである。
【００２４】
そして制御回路１２（１２ａ）は、ハンズフリー通話を行いつつ通話スイッチ２３がＯＮされたかを検知し（Ｓ５）、（Ｓ５）で通話スイッチ２３がＯＮされたのを検知すると、次に通話スイッチ２３がＯＦＦされたかを検知し（Ｓ６）、（Ｓ６）で通話スイッチ２３がＯＦＦされたのを検知すると（Ｓ５）に戻り、（Ｓ６）で通話スイッチ２３がＯＦＦされたのを検知しないと、通話スイッチ２３がＯＮされ続けていると判断して、（Ｓ４）に進むものである。
【００２５】
又、（Ｓ５）で通話スイッチ２３がＯＮされたのを検知しない時、制御回路１２（１２ａ）はハンズフリー通話による通話中か通話が終了したかを判断する。（Ｓ７）
【００２６】
つまり、第１のリモコン３のマイクロホン２５からの音圧レベル又は、第２のリモコン４のマイクロホン２５からの音圧レベルが送話レベルであるかを判断し、第１のリモコン３のマイクロホン２５からの音圧レベル又は第２のリモコン４のマイクロホン２５からの音圧レベルが送話レベル以上の時は通話中と判断して（Ｓ５）に戻り、第１のリモコン３のマイクロホン２５からの音圧レベル及び第２のリモコン４のマイクロホン２５からの音圧レベルが送話レベル未満の時は通話終了と判断し（Ｓ８）、（Ｓ１）に戻るものである。
【００２７】
又、（Ｓ４）で制御回路１２（１２ａ）が、プレストーク通話を行う場合、行通話スイッチ２３をＯＮし続けているリモコン側を強制送話側に設定すると共に、もう一方のリモコン側を強制受話側に設定してプレストーク通話を行う。
【００２８】
この時、制御回路１２（１２ａ）は、強制受話側のリモコンの通話スイッチ２３がＯＮされたかを検知し（Ｓ９）、（Ｓ９）で強制受話側のリモコンの通話スイッチ２３がＯＮされない時は、次に強制送話側のリモコンの通話スイッチ２３がＯＦＦされたかを検知し（Ｓ１０）、（Ｓ１０）で強制送話側のリモコンの通話スイッチ２３がＯＦＦされたのを検知すると（Ｓ３）に戻り、（Ｓ１０）で強制送話側のリモコンの通話スイッチ２３がＯＦＦされたのを検知しないと（Ｓ４）に戻るものである。
【００２９】
又、（Ｓ９）で強制受話側のリモコンの通話スイッチ２３がＯＮされた時は、制御回路１２（１２ａ）は、強制受話側が送話したいと判断して、強制送話側のリモコンの表示部１０に「相手から送話要求があります。」と表示すると共にスピーカ１７から音声案内し、強制送話側の通話スイッチ２３の通話ランプ２４を点滅させて、強制送話側に相手の送話要求を表示するものである。（Ｓ１１）
【００３０】
そして制御回路１２（１２ａ）は、（Ｓ１１）で強制送話側に相手の送話要求を表示した後、強制受話側のリモコンの通話スイッチ２３がＯＦＦされたかを検知し（Ｓ１２）、（Ｓ１２）で強制受話側のリモコンの通話スイッチ２３がＯＦＦされたのを検知すると、次に強制送話側の通話スイッチ２３がＯＦＦされたかを検知する。（Ｓ１３）
【００３１】
そして制御回路１２（１２ａ）は、（Ｓ１３）で強制送話側の通話スイッチ２３がＯＦＦされたのを検知すると、強制送話側に表示していた相手の送話要求表示を非表示にし（Ｓ１４）、（Ｓ３）に戻るものである。
【００３２】
又、（Ｓ１３）で強制送話側の通話スイッチ２３がＯＦＦされたのを検知しない時、つまり強制送話側の通話スイッチ２３がＯＮされ続けている時は、次に強制受話側のリモコンの通話スイッチ２３がＯＮされたかを検知し（Ｓ１５）、（Ｓ１５）で強制受話側のリモコンの通話スイッチ２３がＯＮされたのを検知すると、（１２）に戻り、（Ｓ１５）で強制受話側のリモコンの通話スイッチ２３がＯＮされたのが検知されないと、（Ｓ１３）に戻るものである。
【００３３】
又、（Ｓ１２）で強制受話側のリモコンの通話スイッチ２３がＯＦＦされたのを検知しない時、つまり強制送話側の通話スイッチ２３がＯＮされ続けている時は、次に強制送話側の通話スイッチ２３がＯＦＦされたかを検知し（Ｓ１６）、（Ｓ１６）で強制送話側の通話スイッチ２３がＯＦＦされない時は（Ｓ１２）に戻り、（Ｓ１６）で強制送話側の通話スイッチ２３がＯＦＦされたのを検知した時は、強制送話側に表示していた相手の送話要求表示を非表示にし（Ｓ１７）、そして強制送話側と強制受話側を切り換えて（Ｓ１８）、（Ｓ４）に戻るものである。
【００３４】
以上のように通話スイッチ２３をＯＮし続けている側を強制送話側に設定すると共に、他方を強制受話側に設定して通話を行うプレストーク通話中に、強制受話側が通話スイッチ２３をＯＮすることで、強制受話側が送話したい旨の送話要求表示を強制送話側に表示して報知するので、送話要求表示が表示されることで、強制送話側が通話スイッチ２３をＯＦＦし、それにより強制受話側が送話でき、強制受話側が送話したくとも強制送話側が通話スイッチ２３をＯＦＦするまで送話できないという不具合を解消できるものである。
【００３５】
又、プレストーク通話中に、強制受話側が通話スイッチ２３をＯＮし、そのまま通話スイッチ２３をＯＮし続ければ、強制送話側が通話スイッチ２３をＯＦＦした時点で強制送話側と強制受話側が切り替わって今まで強制受話だった側が強制送話側になって確実に送話でき、プレストーク通話中に、強制受話側が通話スイッチ２３をＯＮした後ＯＦＦした場合は、強制送話側が通話スイッチ２３をＯＦＦした時点でプレストーク通話からハンズフリー通話に切り替わるので、どうしても送話したい時は通話スイッチ２３をＯＮし続ければ、強制送話側が通話スイッチ２３をＯＦＦした時点で確実に送話することができ、プレストーク通話をハンズフリー通話に切り替えてほしい時は通話スイッチ２３をＯＮした後ＯＦＦし、強制送話側が通話スイッチ２３をＯＦＦした時点でハンズフリー通話に切り替わるので、スムーズに通話ができて使い勝手がよくなるものである。
【符号の説明】
【００３６】
３  第１のインターホン機能付きリモコン
４  第２のインターホン機能付きリモコン
１２、１２ａ  制御回路
２３  通話スイッチ
【図１】
2014230233.tif 000003
【図２】
2014230233.tif 000004
【図３】
2014230233.tif 000005
【図４】
2014230233.tif 000006